【手続補正書】
【提出日】平成19年1月16日(2007.1.16)
【手続補正１】
【補正対象書類名】明細書
【補正対象項目名】特許請求の範囲
【補正方法】変更
【補正の内容】
【特許請求の範囲】
【請求項１】  ジョブの実行に伴う出力量を管理する管理装置であって、
ジョブの実行に伴って出力された出力量を現在のカウント値としてカウントする第１のカウント手段と、
ジョブの実行に伴い加算すべき出力量を予約カウント値としてカウントする第２のカウント手段と、
出力量の上限を示す上限カウント値を管理する管理手段と、
後続のジョブが発行されるのに応じて、前記現在のカウント値と前記予約カウント値との加算結果と、前記上限カウント値とを比較して、前記後続のジョブを取り消すか否かを制御する制御手段と、
を有することを特徴とする管理装置。
【請求項２】  ジョブの出力を保証する完全保証モードを設定するモード設定手段と、
前記後続のジョブの実行に伴って出力される出力量を出力カウント値としてカウントする第３のカウント手段とを有し、
前記制御手段は、前記モード設定手段により完全保証モードが設定されているときには、前記現在のカウント値と前記予約カウント値と前記出力カウント値との加算結果が前記上限カウント値を超えるのに従って、前記後続するジョブを取り消すことを特徴とする請求項１記載の管理装置。
【請求項３】  前記現在のカウント値と前記予約カウント値と前記出力カウント値との加算結果が前記上限カウント値以下の場合に、前記出力カウント値に基づいて前記予約カウント値が更新されることを特徴とする請求項２記載の管理装置。
【請求項４】  前記第２のカウント手段は、コマンドに応じて、前記予約カウント値をカウントすることを特徴とする請求項１乃至３のいずれかに記載の管理装置。
【請求項５】  画像処理を行う画像処理装置に対して要求されるジョブの実行に伴う出力状態をＩＤ別に管理可能なジョブ管理装置であって、
ジョブリストに登録されているジョブよりも後続のジョブを優先して実行させる優先モードを設定するモード設定手段と、
ジョブの実行に伴って出力された出力面数もしくは出力枚数を現在のカウント値としてカウントするカウント手段と、
前記優先モードの設定中に、前記後続のジョブに対応するＩＤと同一のＩＤに対応するジョブが前記ジョブリストに登録されているか否かを判断する第１の判断手段と、
前記第１の判断手段により前記後続のジョブに対応するＩＤと同一のＩＤに対応するジョブが登録されていると判断された場合に、前記カウント手段がカウントしている前記現在のカウント値と前記ジョブリストに登録されているジョブの実行に伴う出力面数もしくは出力枚数を示す出力予定値と前記後続のジョブの実行に伴う出力面数もしくは出力枚数を示す出力予定値との加算結果が、前記後続のジョブに対応するＩＤに設定されている上限カウント値を超えるかどうかを判断する第２の判断手段と、
前記第２の判断手段による判断結果に基づき、前記ジョブリストにおける前記後続のジョブの順位を調整する第１の制御手段と、
を有することを特徴とするジョブ管理装置。
【請求項６】  前記第２の判断手段により前記上限カウント値を越えると判断された場合に、前記後続のジョブの優先出力を取り消す第２の制御手段を有することを特徴とする請求項５記載のジョブ管理装置。
【請求項７】  前記第２の判断手段により前記上限カウント値を越えないと判断された場合に、実行中のジョブが現在あるかどうかを判断する第３の判断手段を有し、
前記第１の制御手段は、前記第３の判断手段による判断結果に従い、前記後続のジョブをジョブリストの先頭あるいは前記実行中のジョブの次に登録するように順位を調整することを特徴とする請求項５或いは６記載のジョブ管理装置。
【請求項８】  ジョブの実行に伴う出力量を管理する管理装置におけるジョブ管理方法であって、
ジョブの実行に伴って出力された出力量を現在のカウント値としてカウントする第１のカウントステップと、
ジョブの実行に伴い加算すべき出力量を予約カウント値としてカウントする第２のカウントステップと、
出力量の上限を示す上限カウント値を管理する管理ステップと、
後続のジョブが発行されるのに応じて、前記現在のカウント値と前記予約カウント値との加算結果と、前記上限カウント値とを比較して、前記後続のジョブを取り消すか否かを制御する制御ステップと、
を有することを特徴とするジョブ管理方法。
【請求項９】  ジョブの出力を保証する完全保証モードを設定するモード設定ステップと、
前記後続のジョブの実行に伴って出力される出力量を出力カウント値としてカウントする第３のカウントステップとを有し、
前記制御ステップは、前記モード設定ステップにより完全保証モードが設定されているときには、前記現在のカウント値と前記予約カウント値と前記出力カウント値との加算結果が前記上限カウント値を超えるのに従って、前記後続するジョブを取り消すことを特徴とする請求項８記載のジョブ管理方法。
【請求項１０】  前記現在のカウント値と前記予約カウント値と前記出力カウント値との加算結果が前記上限カウント値以下の場合に、前記出力カウント値に基づいて前記予約カウント値が更新されることを特徴とする請求項９記載のジョブ管理方法。
【請求項１１】  前記第２のカウントステップは、コマンドに応じて、前記予約カウント値をカウントすることを特徴とする請求項８乃至１０のいずれかに記載のジョブ管理方法。
【請求項１２】  画像処理を行う画像処理装置に対して要求されるジョブの実行に伴う出力状態をＩＤ別に管理可能なジョブ管理装置におけるジョブ管理方法であって、
ジョブリストに登録されているジョブよりも後続のジョブを優先して実行させる優先モードを設定するモード設定ステップと、
ジョブの実行に伴って出力された出力面数もしくは出力枚数を現在のカウント値としてカウントするカウントステップと、
前記優先モードの設定中に、前記後続のジョブに対応するＩＤと同一のＩＤに対応するジョブが前記ジョブリストに登録されているか否かを判断する第１の判断ステップと、
前記第１の判断ステップにより前記後続のジョブに対応するＩＤと同一のＩＤに対応するジョブが登録されていると判断された場合に、前記カウントステップがカウントしている前記現在のカウント値と前記ジョブリストに登録されているジョブの実行に伴う出力面数もしくは出力枚数を示す出力予定値と前記後続のジョブの実行に伴う出力面数もしくは出力枚数を示す出力予定値との加算結果が、前記後続のジョブに対応するＩＤに設定されている上限カウント値を超えるかどうかを判断する第２の判断ステップと、
前記第２の判断ステップによる判断結果に基づき、前記ジョブリストにおける前記後続のジョブの順位を調整する第１の制御ステップと、
を有することを特徴とするジョブ管理方法。
【請求項１３】  前記第２の判断ステップにより前記上限カウント値を越えると判断された場合に、前記後続のジョブの優先出力を取り消す第２の制御ステップを有することを特徴とする請求項１２記載のジョブ管理方法。
【請求項１４】  前記第２の判断ステップにより前記上限カウント値を越えないと判断された場合に、実行中のジョブが現在あるかどうかを判断する第３の判断ステップを有し、
前記第１の制御ステップは、前記第３の判断ステップによる判断結果に従い、前記後続のジョブをジョブリストの先頭あるいは前記実行中のジョブの次に登録するように順位を調整することを特徴とする請求項１２或いは１３記載のジョブ管理方法。
【請求項１５】  請求項８〜１４のいずれかに記載のジョブ管理方法を実現するプログラムを記憶したことを特徴とするコンピュータが読み取り可能な記憶媒体。
【請求項１６】  請求項８〜１４のいずれかに記載のジョブ管理方法を実現することを特徴とするプログラム。
【手続補正２】
【補正対象書類名】明細書
【補正対象項目名】０００１
【補正方法】変更
【補正の内容】
【０００１】
【発明の属する技術分野】
本発明は、ジョブの実行に伴う出力量を管理する管理装置、或いは画像処理装置に対して要求されるジョブの実行状態を管理するジョブ管理装置におけるジョブの管理処理に関するものである。
【手続補正３】
【補正対象書類名】明細書
【補正対象項目名】０００６
【補正方法】変更
【補正の内容】
【０００６】
本発明は、上記の問題点を解消するためになされたもので、本発明の第１の目的は、出力量の上限値を超えないように、後続するジョブの実行を管理できる仕組みを提供することである。
【手続補正４】
【補正対象書類名】明細書
【補正対象項目名】０００７
【補正方法】変更
【補正の内容】
【０００７】
本発明の第２の目的は、登録されているジョブよりも後続のジョブを優先して実行させる優先モードの設定中に、後続する同一ＩＤのジョブ処理時に、設定されている上限値を超えて、ジョブ出力が制限されてしまう事態を回避できる仕組みを提供することである。
【手続補正５】
【補正対象書類名】明細書
【補正対象項目名】０００８
【補正方法】変更
【補正の内容】
【０００８】
【課題を解決するための手段】
本発明に係る管理装置は、以下の特徴的構成を備える。
ジョブの実行に伴う出力量を管理する管理装置であって、ジョブの実行に伴って出力された出力量を現在のカウント値としてカウントする第１のカウント手段と、ジョブの実行に伴い加算すべき出力量を予約カウント値としてカウントする第２のカウント手段と、出力量の上限を示す上限カウント値を管理する管理手段と、後続のジョブが発行されるのに応じて、前記現在のカウント値と前記予約カウント値との加算結果と、前記上限カウント値とを比較して、前記後続のジョブを取り消すか否かを制御する制御手段とを有することを特徴とする。
【手続補正６】
【補正対象書類名】明細書
【補正対象項目名】０００９
【補正方法】変更
【補正の内容】
【０００９】
本発明に係るジョブ管理装置は、以下の特徴的構成を備える。
画像処理を行う画像処理装置に対して要求されるジョブの実行に伴う出力状態をＩＤ別に管理可能なジョブ管理装置であって、ジョブリストに登録されているジョブよりも後続のジョブを優先して実行させる優先モードを設定するモード設定手段と、ジョブの実行に伴って出力された出力面数もしくは出力枚数を現在のカウント値としてカウントするカウント手段と、前記優先モードの設定中に、前記後続のジョブに対応するＩＤと同一のＩＤに対応するジョブが前記ジョブリストに登録されているか否かを判断する第１の判断手段と、前記第１の判断手段により前記後続のジョブに対応するＩＤと同一のＩＤに対応するジョブが登録されていると判断された場合に、前記カウント手段がカウントしている前記現在のカウント値と前記ジョブリストに登録されているジョブの実行に伴う出力面数もしくは出力枚数を示す出力予定値と前記後続のジョブの実行に伴う出力面数もしくは出力枚数を示す出力予定値との加算結果が、前記後続のジョブに対応するＩＤに設定されている上限カウント値を超えるかどうかを判断する第２の判断手段と、前記第２の判断手段による判断結果に基づき、前記ジョブリストにおける前記後続のジョブの順位を調整する第１の制御手段とを有することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】０１５３
【補正方法】変更
【補正の内容】
【０１５３】
上記実施形態によれば、以上説明したように、各ジョブＩＤ毎に設定されている上限カウント値を越えないように予約ジョブを自在に管理することができる。
また、各ジョブＩＤ毎に設定されている上限カウント値を越えないように予約ジョブを自在に管理することができる。
さらに、後続する同一ＩＤのジョブ処理時に、設定されている上限値を超えてしまい、ジョブ出力が制限されてしまう事態を確実に回避するように予約ジョブを自在に管理することができる。
【手続補正２２】
【補正対象書類名】明細書
【補正対象項目名】０１５４
【補正方法】変更
【補正の内容】
【０１５４】
【発明の効果】
以上説明したように、本発明によれば、出力量の上限値を超えないように、後続するジョブの実行を管理できる。
【手続補正２３】
【補正対象書類名】明細書
【補正対象項目名】０１５５
【補正方法】変更
【補正の内容】
【０１５５】
また、登録されているジョブよりも後続のジョブを優先して実行させる優先モードの設定中に、後続する同一ＩＤのジョブ処理時に、設定されている上限値を超えて、ジョブ出力が制限されてしまう事態を回避できるという効果を奏する。